(57)【要約】【課題】従来の浄水器よりも水の浄化能力が高く、浄化フィルタの交換サイクルが長く、外部の電源を必要としない浄水器を提供する。【解決手段】羽根車等の水流を回転運動に変換する手段（４）と、この回転運動を伝達し、回転せしめる様に接続された発電手段（２）と、発電手段（２）から出力される電力を用いて発光せしめる紫外線を含む光を照射する手段（３）と紫外線を含む光を照射する手段（３）によって紫外線を照射せしめる位置に光触媒フィルタ（５）を備え、前記水流を回転運動に変換する手段（４）と、光触媒フィルタ（５）は、どちらも浄水器の水流入口（９）と水流出口（１０）の間を流す水の流路の中に備えることを特徴とする。【選択図】図１
2004322062.tif 000002
【特許請求の範囲】
【請求項１】
羽根車等の水流を回転運動に変換する手段（４）と、この回転運動を伝達し、回転せしめる様に接続された発電手段（２）と、発電手段（２）から出力される電力を用いて発光せしめる紫外線を含む光照射手段（３）と紫外線を含む光を照射する手段（３）によって紫外線を照射せしめる位置に光触媒フィルタ（５）を備えることを特徴とする浄水器。
【請求項２】
前記水流を回転運動に変換する手段（４）と、光触媒フィルタ（５）は、どちらも浄水器の水流入口（９）と水流出口（１０）の間を流す水の流路の中に備えることを特徴とする請求項１記載の浄水器。
【請求項３】
前記紫外線を含む光を照射する手段（３）の光源に紫（紫外線）発光ダイオードを用いることを特徴とする請求項１記載の浄水器。
【請求項４】
前記光触媒フィルタ（５）は、表面に酸化チタン（ＴｉＯ２）を含む層を備えることを特徴とする請求項１記載の浄水器。
【請求項５】
光触媒フィルタ（５）よりも水流の下流側に、活性炭等の多孔質の材料を用いた吸着フィルタ（６）を備えることを特徴とする請求項１記載の浄水器。
【請求項６】
前記吸着フィルタ（６）を内部に収めたフィルタカートリッジ（７）を備え、このフィルタカートリッジ（７）は浄水器本体（１）から着脱可能であることを特徴とする請求項１記載の浄水器。
【請求項７】
前記発電手段（２）と紫外線を含む光を照射する手段（３）の間に昇圧回路（８）を備えることを特徴とする請求項１記載の浄水器。
【請求項８】
発電手段（２）および回路基板（８）は、浄水器内部を流れる水に触れぬ様隔離、防水して備えることを特徴とする請求項１記載の浄水器。
【発明の詳細な説明】
【０００１】
【発明の属する技術分野】
本発明は、水流によって駆動する発電手段を備え、外部の電源を必要としないで光触媒フィルタを効果的に働かせるようにしたことを特徴とする浄水器に関するものである。
【０００２】
【従来の技術】
従来の浄水器は、水に含まれる汚れ成分を、多孔質形状を有する浄水フィルタに吸着して取り除く構造になっている。
【０００３】
【発明が解決しようとする課題】
これには、次のような欠点があった。
汚れ成分を細かく分解する機能を備えないため、浄水フィルタが小さな汚れ成分を充分に吸着する前に大きな汚れ成分によって吸着効果が阻害され、性能を長時間維持できなかった。
また、浄化フィルタには強い殺菌機能が無いため、雑菌の増加が早く、やはり性能を長時間維持できない一因となっていた。
このため、短い周期で浄水フィルタを新しいものに交換する必要があった。
本発明は、この欠点を失くすためになされたものである。
【０００４】
【課題を解決するための手段】
羽根車等の水流を回転運動に変換する手段（４）と、この回転運動を伝達し、回転せしめる様に接続された発電手段（２）と、発電手段（２）から出力される電力を用いて発光せしめる紫外線を含む光を照射する手段（３）と、紫外線を含む光を照射する手段（３）によって紫外線を照射せしめる位置に光触媒フィルタ（５）を備える。
本発明は以上の構成よりなる浄水器である。
【０００５】
【発明の実施の形態】
以下、本発明の実施の形態について説明する。
水道水等を浄化する浄水器において、水流入口（９）から水流出口（１０）までの間に、浄水器内を流れる水流を回転運動に変換する手段（４）を設ける。
これを備える位置としては、フィルタ類による圧損や空気の侵入による抵抗の増加を避けるため後述するフィルタ類よりも上流の位置に備えるのが望ましい。
水流を回転運動に変換する手段（４）の具体例としては、図１に示すような水車や、スクリュー型、もしくはこれらの中間的な形状のものなどが挙げられる。他にはスプリンクラーの様に、回転可能なパイプの先端を回転方向と反対側に曲げ、中に水を流してパイプ先端から放出される水の反作用によって回転させる方法もある。
【０００６】
水流を回転運動に変換する手段（４）の回転運動出力を、発電手段（２）を駆動せしめるように接続する。
図１ではこれらを同軸上に配置し、接続しているが、ギア等の駆動力伝達手段を介して接続してもよい。
発電手段（２）と水流を回転運動に変換する手段（４）の間には、防水壁を設け、発電手段（２）への浸水を防ぎ、回転軸を防水構造とする。
【０００７】
発電手段（２）を回転させることによって得られる電力は、紫外線を含む光を照射する手段（３）の発光に用いる。
このため、紫外線を含む光を照射する手段（３）は電気的に発電手段（２）と接続しており、後述する光触媒フィルタ（５）に紫外線を照射可能な位置に設ける。
この紫外線を含む光を照射する手段（３）の光源には、低電力、低電圧で紫外線が照射可能な紫（紫外線）発光ダイオードを用いる。
また、発電手段（２）が低い回転数から紫外線を含む光を照射する手段（３）を発光可能とするため、発電手段（２）と紫外線を含む光を照射する手段（３）を繋ぐ回路の間に、発電手段（２）の出力電圧を、紫外線を含む光を照射する手段（３）を発光させるために必要な電圧値、例えば発紫（紫外線）光ダイオードであれば直流順電圧値以上まで引き上げるための昇圧回路を設ける。
昇圧後の電流は断続的に出力されてもよい。
【０００８】
図２に昇圧回路の実施例を示す。破線で囲った部分が昇圧回路である。
発電手段（２）は発電機（Ｇ１）に該当する。
発電機（Ｇ１）の出力と、紫外線を含む光を照射する手段（３）に用いる紫（紫外線）発光ダイオード（Ｄ１）の間にコイル（Ｌ１）を設ける。
又、コイル（Ｌ１）と紫（紫外線）発光ダイオード（Ｄ１）の間とグランド間にこの間を電気的に接続ならびに切断を繰り返す機能を有するスイッチング手段（１１）にて接続する。
このスイッチング手段（１１）には、例えば発電機（Ｇ１）が発電した電力を用いて発振回路を駆動し、この出力信号によってトランジスタ等のスイッチング素子を駆動する等の実施方法がある。
スイッチング手段（１１）が接続した時に、瞬間的にコイル（Ｌ１）に比較的大きな電流が流れ、電力が蓄えられる。次にスイッチング手段（１１）が切断した時に蓄えられた電力が瞬間的に放出されることで高いパルス状の電圧出力が得られる。
昇圧回路を備える回路基板（８）は、水の流路の外部に設け、必要に応じて防水対策を行う。
【０００９】
水流入口（９）から水流出口（１０）までの間で、浄水器内を流れる水流を回転運動に変換する手段（４）より後の水路の中に光触媒フィルタ（５）を備え、更に下流に吸着フィルタ（６）を備える。
光触媒フィルタ（５）は、表面に酸化チタン（ＴｉＯ２）を含む層を備えたものであり、形状は水流との接触面積が広くとれるものとする。
例えば、図１に示すような多数の粒体の集まりや、光ファイバーを束ねたものや、編んだ繊維状のもの、波板状のものなどの形態があげられる。
光触媒フィルタ（５）は、この下層まで紫外線が届く様に、光を透過する素材で成形するか、もしくは光を透過する部材を混合するのが良い。
吸着フィルタ（６）は活性炭等に代表される多孔質形状の粒体の集まりである。
吸着フィルタ（６）は使用期間に寿命がある消耗品であり、光触媒フィルタ（５）と共にフィルタカートリッジ（７）に内蔵する。
光触媒フィルタ（５）および吸着フィルタ（６）は水流で押し流されることを防ぐため、網状の部材もしくは多数の孔を備えた部材を用いてフィルタカートリッジ（７）内に挟み込む。
このフィルタカートリッジ（７）は本体（１）から着脱、交換が可能な構造とする。
【００１０】
以上のような構成により、本発明は次の様に働く。
紫外線を含む光を照射する手段（３）から発する紫外線が光触媒プィルタ（５）に照射され、これによって表面の酸化チタンを含む層の表面が活性化し、水の汚れや雑菌を酸化分解する触媒反応が得られる。
そして光触媒フィルタ（５）により、分解、殺菌された汚れ成分は、この  下流に備える吸着フィルタ（６）により効率的に吸着固定化され、浄化された水が水流出口（１０）から外に出されるのである。
有機物成分等の汚れ成分が触媒反応により細かく分解されるため吸着フィルタ（６）の汚れ吸着効率が高くなり、また、同様に触媒反応によって水が殺菌されているため雑菌の増加速度も低く抑えられる。
【００１１】
【発明の効果】
本発明により、浄化能力が向上し、浄化フィルタの交換サイクルが伸びるため、従来の浄水器よりもランニングコストを低く抑えられるようになった。また、光触媒反応に電気を用いているが、水路の外部から電源を導入する必要が無いため、取り付け場所の制約が少ない。
例えば水栓に内蔵する形態だけでなく、栓の蛇口に後付け出来る形態の浄水器にも本発明を容易に導入出来る。
また、低電圧の電流を用いるため漏電、感電事故の危険も無い。
【図面の簡単な説明】
【図１】本発明の実施例断面図
【図２】本発明の実施例回路図
【符号の説明】
（１）  浄水器本体
（２）  発電手段
（３）  紫外線を含む光を照射する手段
（４）  水流を回転運動に変換する手段
（５）  光触媒フィルタ
（６）  吸着フィルタ
（７）  フィルタカートリッジ
（８）  回路基板
（９）  水流入口
（１０）水流出口
（１１）スイッチング手段
（Ｇ１）発電機
（Ｌ１）コイル
（Ｄ１）紫（紫外線）発光ダイオード
【図１】
2004322062.tif 000003
【図２】
2004322062.tif 000004